(57)【特許請求の範囲】
【請求項１】
移動通信システムの基地局装置において、
ＭＩＭＯ（Multi Input Multi Output）経路のうち、第１の経路に関わる信号を送受信する第１のアンテナと、ＭＩＭＯ経路のうち、第２の経路に関わる信号を送受信する第２のアンテナを備えるアンテナシステムと、
前記第１の経路の送信信号を処理する送信フィルターと、前記第２の経路の受信信号を処理する受信フィルターを備える第１のデュプレクサと、
前記第１の経路の受信信号を処理する受信フィルターと、前記第２の経路の送信信号を処理する送信フィルターを備える第２のデュプレクサと、
第１のサーキュレータと第２のサーキュレータとで構成されている経路変更部と、
を含み;
前記第１のサーキュレータにおける１番、２番、及び３番端子はそれぞれ、前記第１のデュプレクサ、前記第１のアンテナ、及び前記第２のサーキュレータの３番端子と接続し、前記第１のサーキュレータにて１番端子を介して入力された信号は２番端子を介して出力し、２番端子を介して入力された信号は３番端子を介して出力し、３番端子を介して入力された信号は１番端子を介して出力し、
前記第２のサーキュレータにおける１番、２番、及び３番端子はそれぞれ、前記第２のデュプレクサ、前記第２のアンテナ、及び前記第１のサーキュレータの３番端子と接続し、前記第２のサーキュレータにて１番端子を介して入力された信号は２番端子を介して出力し、２番端子を介して入力された信号は３番端子を介して出力し、３番端子を介して入力された信号は１番端子を介して出力し、
前記第１のデュプレクサ及び第２のデュプレクサは、内部の送受信フィルターをサーキュレータを用いて接続する構造を有することを特徴とする基地局装置。
【請求項２】
前記第１及び第２のアンテナは、互いに直交する偏波を発生するように設置することを特徴とする請求項１に記載の基地局装置。
【請求項３】
移動通信システムの基地局装置において、
ＭＩＭＯ（Multi Input Multi Output）経路のうち、第１の経路に関わる信号を送受信する第１のアンテナと、ＭＩＭＯ経路のうち、第２の経路に関わる信号を受信する第２のアンテナを備えるアンテナシステムと、
前記第１の経路の送信信号を処理する送信フィルターと、前記第２の経路の受信信号を処理する受信フィルターを備えるデュプレクサと、
前記第１の経路の受信信号を処理する受信フィルターと、
第１のサーキュレータと第２のサーキュレータと、で構成されている経路変更部と、
を含み、
前記第１のサーキュレータにおける１番、２番、及び３番端子はそれぞれ、前記デュプレクサ、前記第１のアンテナ、及び前記第２のサーキュレータの３番端子と接続し、前記第１のサーキュレータにて、１番端子を介して入力された信号は２番端子を介して出力し、２番端子を介して入力された信号は３番端子を介して出力し、３番端子を介して入力された信号は１番端子を介して出力し、
前記第２のサーキュレータにおける１番、２番、及び３番端子はそれぞれ、前記受信フィルター、前記第２のアンテナ、及び前記第１のサーキュレータの３番端子と接続し、前記第２のサーキュレータにて、２番端子を介して入力された信号は３番端子を介して出力し、３番端子を介して入力された信号は１番端子を介して出力し、
前記デュプレクサは、内部の送受信フィルターをサーキュレータを用いて接続する構造を有することを特徴とする基地局装置。
【請求項４】
前記第１及び第２のアンテナは、互いに直交する偏波を発生するように設置することを特徴とする請求項３に記載の基地局装置。
【発明の詳細な説明】
【技術分野】
【０００１】
本発明は、無線通信（PCS、Cellular、CDMA、GSM、LTE、など）システムの中継器をはじめとする基地局に関するものであり、特に、ＭＩＭＯ（Multi Input Multi Output）方式で処理される送信信号と受信信号との間でさらに向上した隔離度を提供できるようにするための移動通信システムの基地局装置に関する。
【背景技術】
【０００２】
無線通信システムの中継器をはじめとする基地局に使用されるアンテナは様々な形態と構造を有し、最近の無線通信アンテナは、偏波ダイバーシティ方式を適用して２Ｔ２Ｒ（２Ｔｘ／２Ｒｘ）ＭＩＭＯ方式の二重偏波アンテナの構造を一般的に使用する。この場合に、各送受信経路の信号はそれぞれ、デュプレクサを用いて送信信号と受信信号とを隔離する構造を一般的に採用している。
【０００３】
図１は、従来の一実施例に係る移動通信システムの基地局装置のブロック構成図であり、図１には、一般的な移動通信基地局で使用される２Ｔ２Ｒ  ＭＩＭＯ構造のアンテナシステム１０と、これの各送受信経路に提供される第１及び第２のデュプレクサ２０、２１が開示される。アンテナシステム１０には、２Ｔ２Ｒ構造において、第１の経路Ｐ０に関わる信号を送信及び受信する第１のアンテナＡｎｔ０；１００と、第２の経路Ｐ１に関わる信号を送信及び受信する第２のアンテナＡｎｔ１；１０１が備えられ、第１及び第２のアンテナ１００、１０１は、互いに直交する偏波を発生するように設置される。
【０００４】
また、アンテナシステム１０の第１及び第２のアンテナ１００、１０１とそれぞれ接続し、第１及び第２の経路Ｐ０、Ｐ１の送受信信号をそれぞれ分離または結合するための第１及び第２のデュプレクサ２０、２１が備えられ、第１のデュプレクサ２０は第１の送受信部（Ｐ０送受信部）３０と接続し、第２のデュプレクサ２１は第２の送受信部（Ｐ１送受信部）３１と接続する。第１の送受信部３０は第１の経路の送受信信号を処理し、第２の送受信部３１は第２の経路Ｐ１の送受信信号を処理する。
【０００５】
第１のデュプレクサ２０は、第１の経路Ｐ０に関わる送信信号及び受信信号をそれぞれ処理する送信フィルターＴｘ０；２０４及び受信フィルターＲｘ０；２０６がＴ字ジャンクション（T-junction）２０２を用いて接続する構造を有し、第２のデュプレクサ２１は、第２の経路Ｐ１に関わる送信信号及び受信信号をそれぞれ処理する送信フィルターＴｘ１；２１４及び受信フィルターＲｘ１；２１６がＴ字ジャンクション２１２を用いて接続する構造を有する。
【０００６】
この時、第１の経路Ｐ０における送信信号と受信信号との隔離度は、第１の経路Ｐ０の送信フィルター２０４と受信フィルター２０６をＴ字ジャンクション２０２で接続した第１のデュプレクサ２０の具現の際に発生する隔離度に該当する。つまり、第１のデュプレクサ２０の送信端と受信端との間の隔離度が第１の経路Ｐ０における全体の送信及び受信の隔離度になる。同様に、第２の経路Ｐ１における送信信号と受信信号との隔離度は、送信フィルター２１４と受信フィルター２１６をＴ字ジャンクション２１２で接続した第２のデュプレクサ２１の具現の際に発生する送信端及び受信端の隔離度に該当する。
【０００７】
したがって、送信信号と受信信号との間の隔離度を増加するためには、第１及び第２のデュプレクサ２０、２１におけるフィルター特性（例えば、スカート特性）を向上させる方案が実質唯一のものと考慮されており、この場合に、各送信及び受信フィルターの段数を増加したり、隔離しようとする周波数にノッチ（notch）の個数を増加させる方案が一般的に採用される。しかし、このような方案は、フィルターのサイズと、制作及び生産の難易度が増加するという問題がある。
【０００８】
また、移動通信のマーケットから要求されるより速い処理速度、及び向上された品質への対応のために、各基地局は小型（または超小型）セルとして進化しており、アンテナシステム及び基地局の装備が一体型として開発される傾向であることから、前記の送信フィルター及び受信フィルターで構成されるデュプレクサをさらに小さくて軽量にしようとする要求が高まっている。したがって、前記のようにデュプレクサのサイズと重さなどを考慮しながら前記送信信号と受信信号との間の隔離度を増加させることは非常に困難な課題であった。
【発明の概要】
【発明が解決しようとする課題】
【０００９】
したがって、本発明の目的は、送受信経路の送信及び受信信号を処理するデュプレクサのサイズと重さを減らしながら、あるいはデュプレクサの開発と生産の難易度を下げながら、送信信号と受信信号との間の隔離度を高めたり、一定の要求レベルの隔離度を維持、かつ満足させることができる装置を提供することにある。
【課題を解決するための手段】
【００１０】
前記目的を達成するために、本発明の一つの特徴によると、移動通信システムの基地局装置において、ＭＩＭＯ（Multi Input Multi Output）経路のうち、第１の経路に関わる信号を送受信する第１のアンテナと、ＭＩＭＯ経路のうち、第２の経路に関わる信号を送受信する第２のアンテナを備えるアンテナシステムと、前記第１の経路の送信信号を処理する送信フィルターと前記第２の経路の受信信号を処理する受信フィルターとを備える第１のデュプレクサと、前記第１の経路の受信信号を処理する受信フィルターと前記第２の経路の送信信号を処理する送信フィルターとを備える第２のデュプレクサと、前記第１のデュプレクサから提供される送信信号は前記第１のアンテナに提供し、前記第１のアンテナから提供される受信信号は前記第２のデュプレクサに提供し、前記第２のデュプレクサから提供される送信信号は前記第２のアンテナに提供し、そして前記第２のアンテナから提供される受信信号は前記第１のデュプレクサに提供する経路変更部と、を含むことを特徴とする。
【００１１】
本発明の他の特徴によると、移動通信システムの基地局装置において、ＭＩＭＯ（Multi Input Multi Output）経路のうち、第１の経路に関わる信号を送受信する第１のアンテナと、ＭＩＭＯ経路のうち、第２の経路に関わる信号を受信する第２のアンテナを備えるアンテナシステムと、前記第１の経路の送信信号を処理する送信フィルターと前記第２の経路の受信信号を処理する受信フィルターとを備えるデュプレクサと、前記第１の経路の受信信号を処理する受信フィルターと、前記デュプレクサから提供される送信信号は前記第１のアンテナに提供し、前記第１のアンテナから提供される受信信号は前記受信フィルターに提供し、前記第２のアンテナから提供される受信信号は前記デュプレクサに提供する経路変更部と、を含むことを特徴とする。
【発明の効果】
【００１２】
前記のように、本発明に係る送信信号と受信信号との間の隔離度提供の装置は、例えば、後述する実施例により、送受信信号を処理するデュプレクサでの隔離度に加え、３０〜５０ｄＢレベルの追加的な送受信信号の隔離度を得ることができる。
【００１３】
従来の送受信信号を処理するデュプレクサは、フィルターの構造自体の隔離特性に依存する構造であることから、必要な隔離度を得るためには、比較的多くの個数（段数）以上の共振器とノッチ構造が必要であった。これに比べ、本発明を利用して３０〜５０ｄＢの追加的な隔離度を得ると、同等の条件で比較的共振器の数が少なくても必要な隔離度を得ることができ、ノッチ構造の個数を減らすことで、フィルターの開発と生産の難易度を下げることができる。これを利用すると希望の高性能特性を満足しながら、より小さく、より軽いフィルターとデュプレクサの具現が可能になる。
【図面の簡単な説明】
【００１４】
【図１】従来の一実施例に係る移動通信システムの基地局装置のブロック構成図
【００１５】
【図２】本発明の第１の実施例に係る移動通信システムの基地局装置のブロック構成図
【００１６】
【図３】本発明の第２の実施例に係る移動通信システムの基地局装置のブロック構成図
【００１７】
【図４】本発明の第３の実施例に係る移動通信システムの基地局装置のブロック構成図
【００１８】
【図５】本発明の第４の実施例に係る移動通信システムの基地局装置のブロック構成図
【００１９】
【図６ａ】本発明の実施例に対する変形例
【図６ｂ】本発明の実施例に対する変形例
【発明を実施するための形態】
【００２０】
以下、本発明に係る好適な実施例を添付した図面を参照して詳しく説明する。下の説明では、具体的な構成素子などの特定の事項が示されるが、これは本発明のより全般的な理解を助けるために提示したにすぎず、このような特定の事項に本発明の範囲内で所定の変形、あるいは変更が施されることは、この技術分野で通常の知識を有する者には自明であろう。また、添付の図面では、同一の構成要素については可能な限り同一の参照番号を付けた。
【００２１】
図２は、本発明の第１の実施例に係る移動通信システムの基地局装置のブロック構成図であり、図２には、図１に示した従来例と同様に、一般的な移動体通信基地局で用いる２Ｔ２Ｒ  ＭＩＭＯ構造のアンテナシステム１０と、これの各送受信経路に提供する第１及び第２のデュプレクサ２０、２１が開示される。アンテナシステム１０には、２Ｔ２Ｒ構造において、第１の経路Ｐ０に関わる信号を送信及び受信する第１のアンテナＡｎｔ０；１００と、第２の経路Ｐ１に関わる信号を送信及び受信する第２のアンテナＡｎｔ１；１０１が備えられ、第１及び第２のアンテナ１００、１０１は、互いに直交する偏波を発生するように設置される。
【００２２】
このような構成で本発明の特徴により、アンテナシステム１０の第１のアンテナ１００は第２のアンテナ１０１と、第１及び第２のデュプレクサ２０、２１との間で第１及び第２の送受信信号経路を変更し、第１のデュプレクサ２０から提供される送信信号は第１のアンテナ１００に提供し、第１のアンテナ１００から提供される受信信号は第２のデュプレクサ２１に提供し、第２のデュプレクサ２１から提供される送信信号は第２のアンテナ１０１に提供し、第２のアンテナ１０１から提供される受信信号は第１のデュプレクサ２０に提供する経路変更部が備えられる。第１のサーキュレータ４０及び第２のサーキュレータ４１のペアとして構成する。
【００２３】
より詳しく構成をみると、第１のサーキュレータ４０は、１番端子を介して第１のデュプレクサ２０と接続し、２番端子は第１のアンテナ１００と接続し、３番端子は第２のサーキュレーター４１の３番端子と接続するように設置され、１番端子を介して入力された信号は２番端子を介して出力し、２番端子を介して入力された信号は３番端子を介して出力し、３番端子を介して入力された信号は１番端子を介して出力する。
【００２４】
第２のサーキュレータ４１は、１番端子を介して第２のデュプレクサ２１と接続し、２番端子は第２のアンテナ１０１と接続し、３番端子は第１のサーキュレータ４０の３番端子と接続するように設置され、１番端子を介して入力された信号は２番端子を介して出力し、２番端子を介して入力された信号は３番端子を介して出力し、３番端子を介して入力された信号は１番端子を介して出力する。
【００２５】
また、従来と類似に、アンテナシステム１０の第１及び第２のアンテナ１００、１０１とそれぞれ接続され、第１及び第２の経路Ｐ０、Ｐ１それぞれの送受信信号を分離または結合するための第１及び第２のデュプレクサ２０、２１が備えられ、第１のデュプレクサ２０は、第１の送受信部（Ｐ０送受信部）３０の送信信号を処理する送信フィルター２０４に加え、従来と異なる、第２の送受信部（Ｐ１送受信部）３１の受信信号を処理する受信フィルター２０６’を備える。つまり、第１及び第２の経路の送受信信号の周波数帯域が同一であることから、実質的に第１のデュプレクサ２０のハードウェア的な構造は前記図１に示した従来の構造と同一であるが、受信フィルター２０６’は第２の送受信部３１と接続して第２の経路の受信信号をフィルタリングするのに用いられる。
【００２６】
同様に、第２のデュプレクサ２１は、第２の送受信部（Ｐ１送受信部）３１の送信信号を処理する送信フィルター２１４と、第１の送受信部３０の受信信号を処理する受信フィルター２１６’とを備える。つまり、第２のデュプレクサ２１は、受信フィルター２１６’が第１の送受信部３０と接続し、第１の経路の受信信号をフィルターリングするために用いられる。
【００２７】
第１のデュプレクサ２０は、第１の経路に関わる送信信号を処理する送信フィルター２０４と、第２の経路に関わる受信信号を処理する受信フィルター２０６’がＴ字ジャンクション（T-junction）２０２を用いて接続する構造を有し、第２のデュプレクサ２１は、第２の経路に関わる送信信号を処理する送信フィルター２１４と、第１の経路に関わる受信信号を処理する受信フィルター２１６’とがＴ字ジャンクション２１２を用いて接続する構造を有する。
【００２８】
前記した構造により、第１のデュプレクサ２０の第１の経路の送信フィルター２０４から送信された信号は、第１のサーキュレータ４０を経てアンテナシステム１０の第１のアンテナ１００に提供され、空中（air）で放射される。空中からの第１の経路の受信信号は第１のアンテナ１０１に受信され、第１のサーキュレータ４０を経て第２のサーキュレータ４１に提供された後に、第２のデュプレクサ２１の第１の経路の受信フィルター２１６’に提供される。この時、第１の経路の送信信号及び受信信号は、第１のデュプレクサ２０及び第２のデュプレクサ２１によって分離されることで完璧な隔離度が実現する。
【００２９】
同様に、第２のデュプレクサ２１の第２の経路の送信フィルター２１４から送信された信号は第２のサーキュレータ４１を経てアンテナシステム１０の第２のアンテナ１０１に提供され、空中（air）に放射される。空中からの第２の経路の受信信号は第２のアンテナ１０１に受信されて第２のサーキュレータ４１に提供され、第２のサーキュレータ４１から第１のサーキュレータ４０に提供された後に、第１のデュプレクサ２０の第１の経路の受信フィルター２０６’に提供される。このとき、第２の経路の送信信号及び受信信号は第１のデュプレクサ２０及び第２のデュプレクサ２１によって分離され、完璧な隔離度が実現する。
【００３０】
前記図２に示した構造を見てみると、本発明に係る装置は、サーキュレーターの４０、４１の方向性を利用して２Ｔ２Ｒ（または同等以上）ＭＩＭＯ基地局における送信端と受信端との隔離度を増加させる構造であることが分かる。
【００３１】
より詳しく説明すると、１つのアンテナシステム１０において第１及び第２のアンテナ１００、１０１は互いに９０度で直交するように設置し、空中（air）で信号を送受信する際に、アンテナ１００、１０１間の直交（orthogonal）特性により、各アンテナ１００、１０１間の送受信信号は通常３０ｄＢレベルの隔離度を得る。
【００３２】
この時、例えば、第２の経路の受信フィルター２０６’は、Ｔ字ジャンクション２１２によって第１の経路の送信フィルター２０４と関連付けられているため、第１の経路の送信フィルター２０４の隔離特性によって隔離度が決定される。ところが、第１の経路の送信フィルター２０４と第２の経路の受信フィルター２０６’はそれぞれが結果的に、第１のアンテナ１００及び第２のアンテナ１０１と接続することから、この二つのアンテナ１００、１０１の直交特性によって約３０ｄＢレベルの隔離度が得られる。したがって第１の経路の送信信号と第２の経路の受信信号は各送受信フィルター２０４、２０６’の隔離度に加え、アンテナ１００、１０１の隔離度３０ｄＢを得ることになる。第２の経路の送信信号と第１の経路の受信信号も同様に、該当の送受信フィルター２１４、２１６’の隔離度に加え、アンテナ１００、１０１の隔離度を得ることになる。
【００３３】
前記したように、本発明では、送信信号と受信信号との間の隔離度が、デュプレクサ固有の隔離度に加え、アンテナの直交特性によって得られる３０ｄＢレベルの追加の送受信信号の隔離度を得ることになる。これにより、送信信号と受信信号との間で要求される隔離度が、例えば９０ｄＢである場合に、本発明ではデュプレクサで６０ｄＢレベルの隔離度だけ満足するように具現することが可能である。これに比べて従来には、デュプレクサだけを利用して９０ｄＢの隔離度を満足させなければならないことから、デュプレクサの具現の際に構造及びサイズの側面からより大きな困難となっていた。
【００３４】
図３は、本発明の第２の実施例に係る移動通信システムの基地局装置のブロック構成図である。図３に示した第２の実施例に係る構造は、図２に示した第１の実施例の構造とほとんど同じであるものの、第１及び第２のデュプレクサ２０、２１においてそれぞれの内部の送信フィルター及び受信フィルターの信号を分配及び結合する構造に違いがある。
【００３５】
前記図２に示した第１の実施例では、例えば、第１のデュプレクサ２０は送信フィルター２０４と受信フィルター２０６’がＴ字ジャンクション２０２を用いて接続する構造を有するに対し、図３に示した第２の実施例では、前記Ｔ字ジャンクション２０２の代わりに第３のサキュレータ２０３を使用する。より詳しく構成をみると、図３に図示した第１のデュプレクサ２０において、第３のサキュレータ２０３は、１番端子を介して送信フィルター２０４と接続し、２番端子は第１のサーキュレーター４０の１番端子と接続し、３番端子は受信フィルター２０６’と接続するように設置される。この時、第３のサキュレータ２０３の１番端子を介して入力された信号は２番端子を介して出力し、２番端子を介して入力された信号は３番端子を介して出力する。
【００３６】
同様に、第２のデュプレクサ２１は送信フィルター２１４と受信フィルター２１６’が第４のサキュレータ２０５を用いて接続する構造を有し、第４のサキュレータ２０５は、１番端子を介して送信フィルター２１４と接続し、２番端子は第２のサーキュレータ４１の１番端子と接続し、３番端子は受信フィルター２１６’と接続するように設置される。第４のサキュレーター２０５の１番端子を介して入力された信号は２番端子を介して出力し、２番端子を介して入力された信号は３番端子を介して出力する。
【００３７】
前記図３に図示された実施例では、例えば、第１の経路の送信信号と第２の経路の受信信号は、第３のサキュレータ２０３を経てサーキュレータ固有の隔離度である約２０ｄＢを追加で得ることになる。また、この信号はアンテナシステム１０の分離度３０ｄＢを追加で得ることになり、全体的に約５０ｄＢの分離度を追加で得ることになる。同様に、第２の経路の送信信号と第１の経路の受信信号も約５０ｄＢの分離度を追加で得ることになる。
【００３８】
図４は、本発明の第３の実施例に係る移動通信システムの基地局装置のブロック構成図である。図４に示した第３の実施例に係る構造は、図２に示した第１の実施例の構造とほとんど同じであるものの、第２のデュプレクサ２１の代わりに、第１の経路の受信フィルター２３が第２のサーキュレーター４１の１番端子に接続する構造に違いがある。このように図４に示した構造は、図２に示した第１の実施例に係る構造と比較し、第２の経路の送信信号の処理に関する構成及び動作を有しない点を除き、図２に示した第１実施例の構成及び動作と同一である。つまり、前記図２及び図３に図示した第１及び第２の実施例の構造は２Ｔ２Ｒ  ＭＩＭＯ方式を具現するために適用した構造であるのに対し、図４に示した構造は１Ｔ２Ｒ  ＭＩＭＯ方式を具現するための構造であることが分かる。
【００３９】
図５は、本発明の第４の実施例に係る移動通信システムの基地局装置のブロック構成図である。図５に図示した第４の実施例に係る構造は、実質的に、前記図４に図示した第３の実施例の構造を二重に採用した構造である。すなわち、図５に示した構造は、図４に示した１Ｔ２Ｒ  ＭＩＭＯ方式を二重に備え、２Ｔ４Ｒ  ＭＩＭＯ方式を具現するための構造であることが分かる。
【００４０】
図６ａ及び図６ｂは本発明の実施例の変形例である。例えば、図２に示した第１の実施例では、第１のサーキュレータ４０の方向性が順方向（時計回り）であり、第２のサーキュレータ４１の方向性が逆方向（反時計回り）であることを図示している。ところが、実際の製品具現の際には順方向の両サーキュレーターの組み合わせで具現することが可能である。
【００４１】
図６ａに示すように、順方向のサーキュレーターａ、ｂの組み合わせペアは全体的に４つの信号の循環伝達端子を有する非可逆回路構造（nonreciprocal circuit topology）を有する。このような構造で図６ｂに示すように、順方向サーキュレーターペア４０、４２の各端子に第１のデュプレクサ２０、第１のアンテナ１００、第２のデュプレクサ２１、第２のアンテナ１０１を接続することで、前記図２に図示した第１の実施例の構造と論理的に同一構造を具現できる。
【００４２】
前述のように本発明の一実施例に係る送信信号と受信信号との間の隔離度提供装置を構成することができ、その方案として前述の本発明の説明では具体的な実施例について説明したが、いくつかのバリエーションが本発明の範囲を逸脱することなく実施することができる。
【００４３】
例えば、前述の説明では、アンテナシステム１０において二つのアンテナが互いに直交する偏波を発生するように設置することで隔離度を得るものとして説明したが、他にも二つのアンテナは互いに直交しないで、空間的に適切な距離を置くように離間して設置することで分離度を確保する構造を有するように構成することもできる。
【００４４】
また、前記図２及び図３に図示された第１及び第２の実施例では、２Ｔ２Ｒ  ＭＩＭＯ方式に対応する構造を開示しているが、このような構造を二重（またはそれ以上の多重）に用いて４Ｔ４Ｒ（またはそれ以上の）ＭＩＭＯ方式を具現することも可能である。
【００４５】
また、前記図４及び図５に図示した第３及び第４の実施例では、デュプレクサの構造がＴ字ジャンクション構造を用いて具現するものとして図示したが、他にも該当のデュプレクサの構造として、図３のようにサーキュレーターを用いた構造を採用することもできる。
【００４６】
このように、本発明の様々な変形及び変更があり、したがって、本発明の範囲は、説明された実施例により定まるものではなく、請求の範囲、及び特許請求の範囲と均等のものに基づいて定めなければならない。
【図１】
0006409129.tif 000002
【図２】
0006409129.tif 000003
【図３】
0006409129.tif 000004
【図４】
0006409129.tif 000005
【図５】
0006409129.tif 000006
【図６ａ】
0006409129.tif 000007
【図６ｂ】
0006409129.tif 000008